(57)【要約】      （修正有）【課題】多数の写真をそれぞれ区別して所望の音声メッセージを録音及び再生することができる装置及び写真台紙を提供する。【解決手段】録音再生機能付きアルバム装置１は、録音ボタン１５と、再生ボタン１６と、マイク１７と、スピーカ１４と、写真台紙２の縁部を差し込むスリット１３と、スリット１３内に配置された写真台紙２の識別部２４を検知する検知部と、検知部での検知によって写真台紙２の識別部２４から識別コードを読み取る読取手段と、識別コードによって関連付けられた多数の音声メッセージを記憶するメモリと、マイク１７から入力された音声メッセージを読取手段で読み取った写真台紙２の識別コードと関連付けてメモリに記憶させる録音手段と、読取手段で読み取った写真台紙２の識別コードに対応する音声メッセージをメモリから読み出してスピーカ１４から再生出力させる再生手段とを備える。【選択図】図１
0003114443.tif 000002
【実用新案登録請求の範囲】
【請求項１】
音声メッセージの録音時にオン操作する録音ボタンと、
音声メッセージの再生時にオン操作する再生ボタンと、
録音時に音声メッセージを入力するマイクと、
再生時に音声メッセージを出力するスピーカと、
写真台紙の縁部に識別部が形成され、この写真台紙の縁部を差し込むスリットと、
上記スリット内に配置された写真台紙の識別部を検知する検知部と、
上記検知部での検知によって写真台紙の識別部から識別コードを読み取る読取手段と、
識別コードによって関連付けられた多数の音声メッセージを記憶するメモリと、
マイクから入力された音声メッセージを上記読取手段で読み取った写真台紙の識別コードと関連付けて上記メモリに記憶させる録音手段と、
上記読取手段で読み取った写真台紙の識別コードに対応する音声メッセージを上記メモリから読み出してスピーカから再生出力させる再生手段とを備えたことを特徴とする録音再生機能付きアルバム装置。
【請求項２】
請求項１に記載の録音再生機能付きアルバム装置において、
上記スリットに差し込まれた写真台紙によってオンされる入力スイッチを有し、
上記読取手段は、上記スリットに写真台紙を差し込むと上記入力スイッチがオンし上記検知部が作動して写真台紙の識別部から識別コードを読み取り、
上記再生手段は、上記読取手段で読み取った写真台紙の識別コードに対応する音声メッセージを上記メモリから読み出してスピーカから一回再生出力させるように構成したことを特徴とする録音再生機能付きアルバム装置。
【請求項３】
請求項１又は２に記載の録音再生機能付きアルバム装置において、
上記スリットに差し込んだ写真台紙を配置する台紙配置部を有し、
上記スピーカを台紙配置部内に配設したことを特徴とする録音再生機能付きアルバム装置。
【請求項４】
請求項１ないし３のいずれかに記載の録音再生機能付きアルバム装置において、
上記写真台紙の識別部は、縁部の所定位置に所定数設けたパンチ孔で形成されており、
上記検知部は、このパンチ孔の位置及び数を検知し、
上記読取手段は、このパンチ孔の位置及び数で特定される識別コードを読み取るように構成したことを特徴とする録音再生機能付きアルバム装置。
【請求項５】
請求項１ないし３のいずれかに記載の録音再生機能付きアルバム装置において、
上記写真台紙の識別部は、縁部にバーコード等の識別子で形成されており、
上記検知部は、この識別子を検知し、
上記読取手段は、この識別子で特定される識別コードを読み取るように構成したことを特徴とする録音再生機能付きアルバム装置。
【請求項６】
請求項４に記載の録音再生機能付きアルバム装置に使用される写真台紙であって、
上記写真台紙の縁部の識別部は、表裏面で異なるように所定位置に所定数設けたパンチ孔で形成されていることを特徴とする写真台紙。
【請求項７】
請求項５に記載の録音再生機能付きアルバム装置に使用される写真台紙であって、
上記写真台紙の縁部の識別部は、バーコード等の識別子で形成されていることを特徴とする写真台紙。
【考案の詳細な説明】
【技術分野】
【０００１】
本考案は、多数の写真ごとに所望の音声メッセージを録音及び再生できる録音再生機能付きアルバム装置及びこれに使用する写真台紙に関するものである。
【背景技術】
【０００２】
従来より、写真はアルバムに綴じて保管される。このアルバムとしては、のり層が形成された台紙に複数の写真を配置しその上に透明フィルムでカバーするものや、複数の透明ポケットを設けたファイルに写真を収容させるもの等がある。これらのアルバムは、多数の写真を整理して保管でき、ページを捲って写真を見ることができ、便利である。
また、特別な写真等は、写真立てに入れて保管することもある。このような写真立ての中には、思い出などの音声メッセージを録音及び再生できる機能を持つものもある。
【考案の開示】
【考案が解決しようとする課題】
【０００３】
上記のアルバムにおいては、その個々の写真を写したときの状況や思い出等をアルバムの隅やその写真の裏に書き込むことで残すことができても、音声として記録することができない。
また、音声の録音及び再生機能を持つ写真立てにあっては、そもそも写真立てには、特別な１枚の写真を保管するものであるから、多数の写真のそれぞれに対応した音声メッセージを区別して記録し再生することができるものではない。
本考案は、上記事情に鑑みてなされたものであり、多数の写真をそれぞれ区別して所望の音声メッセージを録音及び再生することができる録音再生機能付きアルバム装置及びこれに使用する写真台紙を提供することを課題とする。
【課題を解決するための手段】
【０００４】
（１）本考案に係る録音再生機能付きアルバム装置（請求項１）は、
音声メッセージの録音時にオン操作する録音ボタンと、
音声メッセージの再生時にオン操作する再生ボタンと、
録音時に音声メッセージを入力するマイクと、
再生時に音声メッセージを出力するスピーカと、
写真台紙の縁部に識別部が形成され、この写真台紙の縁部を差し込むスリットと、
上記スリット内に配置された写真台紙の識別部を検知する検知部と、
上記検知部での検知によって写真台紙の識別部から識別コードを読み取る読取手段と、
識別コードによって関連付けられた多数の音声メッセージを記憶するメモリと、
マイクから入力された音声メッセージを上記読取手段で読み取った写真台紙の識別コードと関連付けて上記メモリに記憶させる録音手段と、
上記読取手段で読み取った写真台紙の識別コードに対応する音声メッセージを上記メモリから読み出してスピーカから再生出力させる再生手段とを備えたことを特徴とするものである。
これにより、写真を保持する多数の写真台紙をそれぞれ区別して、所望の音声メッセージを録音及び再生することができる。
【０００５】
（２）上記録音再生機能付きアルバム装置（請求項１）において、
上記スリットに差し込まれた写真台紙によってオンされる入力スイッチを有し、
上記読取手段は、上記スリットに写真台紙を差し込むと上記入力スイッチがオンし上記検知部が作動して写真台紙の識別部から識別コードを読み取り、
上記再生手段は、上記読取手段で読み取った写真台紙の識別コードに対応する音声メッセージを上記メモリから読み出してスピーカから一回再生出力させるように構成してもよい。
これにより、本アルバム装置のスリットに写真台紙を差し込むと、その写真台紙に独自の識別コードで特定された音声メッセージが一回自動再生されるので、音声メッセージの内容の確認ができる。そして、この音声メッセージの内容が気に入らないときは、録音ボタンを押して新たな音声メッセージに書き換えることができる。また、新たに録音した音声メッセージは、再生ボタンを押すことによって再生されて聞くことができる。従って、音声メッセージの内容が気に入るまで何度でもやり直すことができる。
【０００６】
（３）上記録音再生機能付きアルバム装置（請求項１又は２）において、
上記スリットに差し込んだ写真台紙を配置する台紙配置部を有し、
上記スピーカを台紙配置部内に配設してもよい。
これにより、音声メッセージの再生時に台紙配置部に配置された写真台紙から音声メッセージが発せられているような感じを与えることができる。
【０００７】
（４）上記録音再生機能付きアルバム装置（請求項１ないし３のいずれか）において、
上記写真台紙の識別部は、縁部の所定位置に所定数設けたパンチ孔で形成されており、
上記検知部は、このパンチ孔の位置及び数を検知し、
上記読取手段は、このパンチ孔の位置及び数で特定される識別コードを読み取るように構成してもよい。
これにより、パンチ孔の位置及び数で特定される識別コードによって、写真を保持する多数の写真台紙をそれぞれ区別して所望の音声メッセージを録音及び再生することができる。
【０００８】
（５）上記録音再生機能付きアルバム装置（請求項１ないし３のいずれか）において、
上記写真台紙の識別部は、縁部にバーコード等の識別子で形成されており、
上記検知部は、この識別子を検知し、
上記読取手段は、この識別子で特定される識別コードを読み取るように構成してもよい。
これにより、バーコード等の識別子で特定される識別コードによって、写真を保持する多数の写真台紙をそれぞれ区別して所望の音声メッセージを録音及び再生することができる。
【０００９】
（６）上記録音再生機能付きアルバム装置（請求項４）に使用される写真台紙であって、
上記写真台紙の縁部の識別部は、表裏面で異なるように所定位置に所定数設けたパンチ孔で形成されていることを特徴とするものである。
これにより、写真台紙には、上記パンチ孔の位置や数の組み合わせによって独自の識別コードが形成される。また、このパンチ孔は、写真台紙の表裏面で配置が異なるように形成されるので、この写真台紙は、表裏面にそれぞれ異なる識別コードを持つものとなる。
【００１０】
（７）上記録音再生機能付きアルバム装置（請求項５）に使用される写真台紙であって、
上記写真台紙の縁部の識別部は、バーコード等の識別子で形成されていることを特徴とするものである。
これにより、写真台紙には、上記識別子によって独自の識別コードが形成される。また、識別部を比較的簡易に形成することができる。
【考案の効果】
【００１１】
本考案によれば、識別コードによって写真を保持する多数の写真台紙をそれぞれ区別して所望の音声メッセージを録音及び再生することができる。従って、多数の写真に対してそれぞれの写したときの状況や思い出などを写真ごとに音声メッセージとして記録し、各写真を見ながらその音声メッセージを再生して楽しむことができる。よって、従来の写真を綴じたアルバムや唯一の音声メッセージを録音再生できる写真立て等に比べて趣味性に富んだものが得られる。
【考案を実施するための最良の形態】
【００１２】
以下に、本考案の実施の形態について添付図面を参照しながら説明する。
図１には、本考案の実施の形態による録音再生機能付きアルバム装置１の外観構成を示す。
図１に示す本実施の形態による録音再生機能付きアルバム装置１は、写真２２を保持する多数の写真台紙２をそれぞれ区別して所望の音声メッセージを録音及び再生することができるものである。
【００１３】
写真台紙２は、図１に示すように、表裏の両面にそれぞれのり層が形成された台紙部２０と、二枚折りに形成されてその折曲部２１ａを台紙部２０下端に配置してこの台紙部２０の表裏両面を覆う透明カバー２１とから形成されている。この写真台紙２には、表裏の両面にそれぞれ写真２２を保持することができ、この写真２２を保持する写真保持部２３と、この写真保持部２３の下端縁に形成された識別部２４とに区画されている。写真２２は、写真台紙２の一面側の透明カバー２１を上端から剥がして台紙部２０に配置し、再び透明カバー２１で覆わせることで台紙部２０と透明カバー２１との間に収容保持される。写真台紙２の反対面側でも同様にして写真２２を保持することができる。
【００１４】
識別部２４は、写真台紙２の表裏両面において透明カバー２１の折曲部２１ａを含む下端縁を黒塗りするとともにこの黒塗り部分２４ｂに写真台紙２を貫通する所望のパンチ孔２４ａを形成したものからなる。なお、黒塗り部分２４ｂは、フォトセンサー４０等の光線を遮断することができる。従って、このパンチ孔２４ａの位置や数の組み合わせによって独自の識別コードが形成される。また、このパンチ孔２４ａは、写真台紙２の表裏面で配置が異なるように形成される。従って、この写真台紙２は、表裏面にそれぞれ異なる識別コードを持つものとなる。なお、黒塗り部分２４ｂは、透明カバー２１ではなく台紙部２０に形成してもよい。また、上記識別部２４としては、上記パンチ孔２４ａによるものに代えて、透明カバー２１又は台紙部２０にバーコード等の識別子を付して構成してもよい。この場合は、上記パンチ孔２４ａによるものに比べて幾分か識別部２４を簡易に形成することができる。
【００１５】
また、録音再生機能付きアルバム装置１のアルバム装置本体１０には、図１に示すように、表側に操作部１１と台紙配置部１２とが設けられ、裏側に電源部（図示せず）が設けられている。なお、電源部には、電池が配設されてこのアルバム装置への電源供給を行うが、電池によらず直流変換アダプターを接続して交流電源から電源供給を受けるようにしてもよい。また、操作部１１と台紙配置部１２との境には、写真台紙２を差し込むスリット１３が設けられている。このスリット１３に写真台紙２を差し込むと、写真台紙２が台紙配置部１２上に配置される。この台紙配置部１２内には、スピーカ１４が設けられており、音声メッセージの再生時に台紙配置部１２に配置された写真台紙２から音声メッセージが発せられているような感じを与えるようにしている。
【００１６】
操作部１１には、音声メッセージの録音時にオン操作する録音ボタン１５と、録音した音声メッセージの再生時にオン操作する再生ボタン１６と、録音時に音声メッセージを入力するマイク１７と、録音又は再生の間に点灯する表示ランプ１８と、録音を禁止するためのロックスイッチ１９とが設けられている。
【００１７】
また、スリット１３内には、このスリット１３内に差込まれた写真台紙２によってオンされる入力スイッチ３と、スリット１３内に配置された写真台紙２の識別部２４をスキャンする検知部４とが設けられている（図２参照）。検知部４は、スリット１３の一方側に配置した複数のフォトセンサー４０と、スリット１３の他方側に配置してフォトセンサー４０に対向させた反射板（図示せず）とを有する（図２参照）。従って、この検知部４では、写真台紙２の識別部２４におけるパンチ孔２４ａで透過された光線の位置及び数をフォトセンサー４０で検知することで、その写真台紙２に付された独自の識別コードを認識できるようにしている。なお、上記検知部４としては、写真台紙２の識別部２４がバーコードで形成される場合は、バーコード認識可能な赤外線センサ等で構成すればよい。
【００１８】
図２には、録音再生機能付きアルバム装置１の内部構成を示す。
図２に示すように、アルバム装置の内部には、制御回路部５が設けられている。この制御回路部５は、スリット１３に写真台紙２を差し込むと上記入力スイッチ３がオンし上記検知部４でスキャンされて写真台紙２の識別部２４からその写真台紙２独自の識別コードを読み取る読取手段５１と、識別コードによって関連付けられた多数の音声メッセージが記憶されるメモリ６と、マイク１７から入力された音声メッセージを識別コードと関連付けてメモリ６に記憶させる録音手段５３と、写真台紙２の識別コードに対応する音声メッセージをメモリ６から読み出してスピーカ１４から再生出力させる再生手段５２とを備える。
【００１９】
次に、上記アルバム装置１の使用形態ないし動作を説明する。
写真台紙２をアルバム装置１のスリット１３に差し込むと、スリット１３内の入力スイッチ３がオンして読取手段５１が作動し、写真台紙２の識別部２４から識別コードを読み取る。すると、この識別コードに対応する音声メッセージがメモリ６から読み出される。このとき、メモリ６に音声メッセージが録音されていなければ、スピーカ１４から音声メッセージは出力されない。
【００２０】
そして、写真台紙２をスリット１３に差し込んだ状態で、録音ボタン１５を押すと、録音手段５３が作動して一定時間（例えば、１０秒程度）の録音が可能となる。このとき、マイク１７に向かって所望の音声メッセージを話すと、この音声メッセージが録音手段５３によって電気信号に変換されて写真台紙２の識別コードと関連付けられてメモリ６に記憶される。なお、ロックスイッチ１９をオンにしているときは上記録音手段５３が作動せず録音が禁止される。
【００２１】
このようにして、独自の識別コードを識別部２４に有した多数の写真台紙２に対して、それぞれ所望の音声メッセージを録音する。すなわち、メモリ６には、各々の識別コードで関連付けられた多数の音声メッセージを記憶させることができる。
【００２２】
次に、既に録音に用いた写真台紙２をアルバム装置のスリット１３に差し込むと、上記と同様に、読取手段５１によってその識別コードが読み取られる。すると、この識別コードに対応する音声メッセージの電気信号がメモリ６から読み出され、再生手段５２によって音声に変換されてスピーカ１４からその音声メッセージが再生出力される。その後、写真台紙２をスリット１３に差込んだ状態で、再生ボタン１６を押すと、識別コードが読取手段５１で読み取られ、その識別コードに対応する音声メッセージが再生手段５２によってスピーカ１４から再生出力される。
【００２３】
このようにして、アルバム装置１のスリット１３に写真台紙２を差し込むと、その写真台紙２に独自の識別コードで特定された音声メッセージが一回自動再生されるので、音声メッセージの内容の確認ができる。そして、この音声メッセージの内容が気に入らないときは、録音ボタン１５を押して新たな音声メッセージに書き換えることができる。新たに録音した音声メッセージは、再生ボタン１６を押すことによって再生されて聞くことができる。従って、音声メッセージの内容が気に入るまで何度でもやり直すことができる。
【００２４】
以上のように、本実施の形態による録音再生機能付きアルバム装置１によれば、識別コードによって写真２２を保持する多数の写真台紙２をそれぞれ区別して所望の音声メッセージを録音及び再生することができる。従って、多数の写真２２に対してそれぞれの写したときの状況や思い出などを写真２２ごとに音声メッセージとして記録し、各写真２２を見ながらその音声メッセージを再生して楽しむことができる。よって、従来の写真を綴じたアルバムや唯一の音声メッセージを録音再生できる写真立て等に比べて趣味性に富んだものが得られる。
【００２５】
そして、上記多数の写真台紙２は、収容箱等にまとめて保管してもよいし、ポケット付きファイル等に入れて保管してもよい。この場合、本アルバム装置１によって写真台紙２（写真２２）ごとの音声メッセージを聞くことができるので、特別に整理して保管しなくても、その写真２２の思い出等を容易に回想することができる。
【００２６】
なお、本考案は、上記実施の形態に限らず、種々の設計変更を施すことが可能であり、例えば、上記写真台紙２に保持するものは、写真に限らず、年賀状や記念ハガキ等のポストカード等でもよい。
【００２７】
また、上記写真台紙２としては、予め識別部２４を設けた写真用プリント紙や印画紙等を用いてもよい。この場合、デジタルカメラで写した画像データやフィルム式カメラのネガに定着させた画像を、上記写真台紙２となる写真用プリント紙等に直接プリント等することで、識別部２４の識別コードが写真と分離されることがなく、写真と対応した音声メッセージを確実に聞くことができる。
【図面の簡単な説明】
【００２８】
【図１】本考案の実施の形態による録音再生機能付きアルバム装置１の外観構成を示す斜視図である。
【図２】本考案の実施の形態による録音再生機能付きアルバム装置１の内部構成を示すブロック構成図である。
【符号の説明】
【００２９】
１  録音再生機能付きアルバム装置
２  写真台紙
３  入力スイッチ
４  検知部
５  制御回路部
６  メモリ
２２  写真
２３  写真保持部
２４  識別部
２４ａ  パンチ孔
２４ｂ  黒塗り部分
１０  装置本体
１１  操作部
１２  台紙配置部
１３  スリット
１４  スピーカ
１５  録音ボタン
１６  再生ボタン
１７  マイク
１９  ロックスイッチ
５１  読取手段
５２  再生手段
５３  録音手段
【図１】
0003114443.tif 000003
【図２】
0003114443.tif 000004